(57)【要約】      （修正有）【課題】他の商品と共に収容した商品を陳列しても表示部の内容を視認し易い商品陳列用箱、表示部の内容を視認し易い消しゴム陳列用箱、並びに、消しゴム入り陳列用箱を提供する。【解決手段】複数の商品を収容可能であって上方が開放された収容空間１８を形成する箱本体部２と、箱本体部２から延設された延設部３を有する商品陳列用箱１を形成する。そして、延設部３を面状に広がりを有する部分とし、一主面に表示部２８が設けられたものとする。そして、延設部３は、表示部２８が収容空間１８から離れる方向、又は、上方を向く陳列姿勢をとることが可能であるものとする。【選択図】図１
0003225263.tif 000002
【実用新案登録請求の範囲】
【請求項１】
複数の商品を収容可能であって上方が開放された収容空間を形成する箱本体部と、前記箱本体部から延設された延設部を有し、
前記延設部は、面状に広がりを有する部分であって一主面に表示部が設けられ、
前記延設部は、前記表示部が前記収容空間から離れる方向、又は、上方を向く陳列姿勢をとることが可能であることを特徴とする商品陳列用箱。
【請求項２】
前記陳列姿勢では、前記表示部が前記収容空間の側方外側で上方を向き、且つ、前記表示部が水平面と平行となる、又は、前記収容空間から離れる方向で下り勾配となるように傾斜することを特徴とする請求項１に記載の商品陳列用箱。
【請求項３】
前記延設部は、前記収容空間の開放部分の少なくとも一部を覆う蓋姿勢とすることが可能であることを特徴とする請求項１又は２に記載の商品陳列用箱。
【請求項４】
前記延設部は、陳列時に商品を手に取る客からみて手前側となる位置に設けられていることを特徴とする請求項１乃至３のいずれかに記載の商品陳列用箱。
【請求項５】
前記延設部は、前記収容空間の上方を覆うことが可能な蓋姿勢から前記陳列姿勢に移行することが可能であり、
前記延設部は、前記蓋姿勢で上面となる部分の一部に前記表示部が設けられ、
前記陳列姿勢では、前記延設部は、延び方向の中途部分で折り返され、前記蓋姿勢で下面となる部分同士が向き合う状態であり、且つ、延び方向の基端側部分と先端側部分とが重なる状態となることを特徴とする請求項２に記載の商品陳列用箱。
【請求項６】
前記箱本体部及び前記延設部とは別部材で構成された中敷き部材を有し、
前記箱本体部は、前記収容空間の一部と隣接する第一側壁部と、前記第一側壁部と前記収容空間を介して対向する第二側壁部を有し、
前記中敷き部材は、前記収容空間の底部分に載置されて平面的に広がりを有する中敷底部と、前記中敷底部から上方に延びる中敷立壁部とを備え、前記中敷底部が前記収容空間の底部分に敷かれ、前記中敷立壁部が前記第一側壁部の内側に隣り合う位置に配されており、
前記延設部は、延設体本体部と、延び方向の先端側に位置する延設体フラップ部を有しており、
前記蓋姿勢では、前記延設体フラップ部が前記第二側壁部の内側に隣り合う位置に配され、前記陳列姿勢では、前記延設体フラップ部が前記第一側壁部と前記中敷立壁部の間に形成された隙間に差し込まれることを特徴とする請求項５に記載の商品陳列用箱。
【請求項７】
前記延設部は、係合片部を有しており、
前記係合片部は、前記陳列姿勢において前記延設部の一部から分かれて延びる部分であり、延び方向の先端側に前記箱本体部と係合可能な係合片側係合部を備え、
前記陳列姿勢では、前記係合片部が前記表示部の下側に位置し、前記箱本体部の側方外側に離れた位置から前記箱本体部に向かって延びており、前記係合片側係合部が前記箱本体部と係合することを特徴とする請求項２、５乃至６のいずれかに記載の商品陳列用箱。
【請求項８】
前記係合片部は、前記延設部の一部を切り起こして形成される部分であることを特徴とする請求項７に記載の商品陳列用箱。
【請求項９】
前記箱本体部は、前記収容空間の一部と隣接する第一側壁部を有し、前記第一側壁部にスリット溝部が設けられ、
前記係合片側係合部を前記スリット溝部に挿入することで、前記係合片部と前記箱本体部が係合するものであり、
前記係合片側係合部は、先端側から基端側に向かって幅が広くなっており、
前記係合片側係合部の最大幅が、前記スリット溝部の切り込み長さよりも長いことを特徴とする請求項７又は８に記載の商品陳列用箱。
【請求項１０】
前記箱本体部及び前記延設部とは別部材で構成された中敷き部材を有し、
前記中敷き部材は、前記収容空間の底部分に載置されて平面的に広がりを有する中敷底部を備え、
前記箱本体部は、前記収容空間の一部と隣接する第一側壁部を有し、前記第一側壁部にスリット溝部が設けられ、
前記係合片側係合部を前記スリット溝部に挿入することで、前記係合片部と前記箱本体部が係合するものであり、
前記係合片部と前記箱本体部が係合した状態では、前記係合片側係合部の先端側部分が前記第一側壁部の内側であり、前記中敷き部材と前記収容空間の底部分の間に位置していることを特徴とする請求項７乃至９のいずれかに記載の商品陳列用箱。
【請求項１１】
前記係合片部の基端側部分は、前記陳列姿勢時に前記箱本体部に近づく方向で下り勾配となるように延びていることを特徴とする請求項７乃至１０のいずれかに記載の商品陳列用箱。
【請求項１２】
前記延設部は、前記蓋姿勢で下面となる部分の一部に接着手段を有し、
前記接着手段は、前記陳列姿勢時に前記延設部の基端側部分と先端側部分の間に介在して両者の離反を規制するものであり、且つ、前記蓋姿勢時に前記延設部と商品の間に介在した状態で両者の離反を規制しないものであることを特徴とする請求項５に記載の商品陳列用箱。
【請求項１３】
前記接着手段は、両面テープであり、両面に接着性を有する基材と、前記基材の片面に取り付けられた剥離紙を有しており、
前記接着手段は、前記蓋姿勢で下面となる部分の一部に貼着されており、前記蓋姿勢では、前記基材に前記剥離紙を取り付けた状態とし、前記陳列姿勢では、前記基材から前記剥離紙を取り外した状態とすることを特徴とする請求項１２に記載の商品陳列用箱。
【請求項１４】
前記延設部は、前記収容空間の上方を覆うことが可能な蓋姿勢から前記陳列姿勢に移行することが可能であり、
前記延設部が前記蓋姿勢となって前記収容空間の上方を覆う流通用形態から、前記延設部が前記陳列姿勢となって前記収容空間の上方が外部に開放される陳列用形態に移行可能なものであり、
前記延設体本体部は、前記収容空間の一部と隣接する第一側壁部を有し、
前記第一側壁部の外側面には、前記流通用形態から前記陳列用形態に移行する際の手順に関する情報を表示する移行情報表示部が設けられており、
前記陳列用形態では、前記移行情報表示部の側方外側に前記表示部が位置しており、側方側外側からみた平面視において前記移行情報表示部が前記表示部に隠れて視認できない状態となることを特徴とする請求項１乃至１３のいずれかに記載の商品陳列用箱。
【請求項１５】
前記表示部は、文字、数字、記号、図形、グラフ、表、絵柄から選択される一以上により、前記収容空間に収容する商品に関する情報、及び／又は、前記収容空間に収容する商品を装飾する装飾表示が表示されることを特徴とする請求項１乃至１４のいずれかに記載の商品陳列用箱。
【請求項１６】
前記箱本体部及び前記延設部は、１枚のブランクシートを折り曲げて組み立てられ、
前記箱本体部は、第一側壁部、第二側壁部、第三側壁部、第四側壁部を有し、
前記第一側壁部と前記第二側壁部が前記収容空間を介して対向すると共に、前記第三側壁部と前記第四側壁部とが前記収容空間を介して対向しており、
前記ブランクシートには、前記第一側壁部を形成する第一側壁形成部と、前記第二側壁部を形成する第二側壁形成部と、前記第三側壁部を形成する第三側壁形成部と、前記第四側壁部を形成する第四側壁形成部と、前記収容空間の底部分を形成する底形成部が設けられ、
前記第二側壁形成部は、前記第二側壁部の外側部分と内側部分をそれぞれ形成する第二側壁外側形成部及び第二側壁内側形成部を有し、
前記第三側壁形成部は、前記第三側壁部の外側部分と内側部分をそれぞれ形成する第三側壁外側形成部及び第三側壁内側形成部を有し、
前記第四側壁形成部は、前記第四側壁部の外側部分と内側部分をそれぞれ形成する第四側壁外側形成部及び第四側壁内側形成部を有し、
さらに前記ブランクシートには、前記第一側壁形成部に連設され、組み立て時に前記第一側壁形成部の側方両端に位置する２つの第一フラップ部と、
前記第二側壁内側形成部に連設され、組み立て時に前記底形成部の上面と少なくとも一部が接する第二下側舌片部と、
前記第三側壁形成部に連設され、組み立て時に前記第三側壁形成部の片側側方に位置する第三フラップ部と、
前記第三側壁内側形成部に連設され、組み立て時に前記底形成部の上面と少なくとも一部が接する第三下側舌片部と、
前記第四側壁形成部に連設され、組み立て時に前記第四側壁形成部の片側側方に位置する第四フラップ部と、
前記第四側壁内側形成部に連設され、組み立て時に前記底形成部の上面と少なくとも一部が接する第四下側舌片部とが設けられ、
前記箱本体部は、前記第一フラップ部の一方が前記第三側壁内側形成部と前記第三側壁外側形成部の間に配され、前記第一フラップ部の他方が前記第四側壁内側形成部と前記第四側壁外側形成部の間に配されると共に、前記第三フラップ部と前記第四フラップ部のそれぞれが前記第二側壁内側形成部と前記第二側壁外側形成部の間に配され、且つ、前記第三下側舌片部の一部と前記第四下側舌片部の一部とが前記第二下側舌片部の上側に重なった状態で組み立てられていることを特徴とする請求項１乃至１５のいずれかに記載の商品陳列用箱。
【請求項１７】
複数の消しゴムを収容可能であって上方が開放された収容空間を形成する箱本体部と、前記箱本体部から延設された延設部と、前記箱本体部及び前記延設部とは別部材で構成された中敷き部材とを有し、
前記箱本体部は、前記収容空間の一部と隣接する第一側壁部と、前記第一側壁部と前記収容空間を介して対向する第二側壁部を有し、前記第一側壁部にスリット溝部が設けられ、
前記延設部は、面状に広がりを有する部分であって、延設体本体部と、延び方向の先端側に位置する延設体フラップ部を有し、且つ、前記収容空間の上方を覆うことが可能な蓋姿勢から、陳列姿勢に移行することが可能であり、
前記中敷き部材は、前記収容空間の底部分に載置されて平面的に広がりを有する中敷底部と、前記中敷底部から上方に延びる中敷立壁部とを備え、前記中敷底部が前記収容空間の底部分に敷かれ、前記中敷立壁部が前記第一側壁部の内側に隣り合う位置に配されており、
前記延設部の一主面であり、前記蓋姿勢で上面となる部分の一部に表示部が設けられ、
前記蓋姿勢では、前記延設体フラップ部が前記第二側壁部の内側に隣り合う位置に配され、
前記陳列姿勢では、前記延設部が延び方向の中途部分で折り返され、前記蓋姿勢で下面となる部分同士が向き合う状態であり、且つ、延び方向の基端側部分と先端側部分とが重なる状態となり、さらに前記表示部が前記収容空間の側方外側で上方を向き、且つ、前記表示部が水平面と平行となる、又は、前記収容空間から離れる方向で下り勾配となるように傾斜するものであり、さらに前記延設体フラップ部が前記第一側壁部と前記中敷立壁部の間に形成された隙間に差し込まれるものであり、
前記延設部は、係合片部を有しており、
前記係合片部は、前記延設部の一部を切り起こして形成され、前記陳列姿勢において前記延設部の一部から分かれて延びる部分であり、延び方向の先端側に前記箱本体部と係合可能な係合片側係合部を備え、
前記陳列姿勢では、前記係合片部が前記表示部の下側に位置し、前記係合片部の基端側部分が前記箱本体部に近づく方向で下り勾配となるように延びており、且つ、前記係合片側係合部が前記スリット溝部に挿入されて前記係合片部と前記箱本体部が係合しており、前記係合片部と前記箱本体部が係合した状態では、前記係合片側係合部の先端側部分が前記第一側壁部の内側であり、前記中敷き部材と前記収容空間の底部分の間に位置しており、
前記延設部は、前記蓋姿勢で下面となる部分の一部に接着手段を有しており、
前記接着手段は、前記陳列姿勢時に前記延設部の基端側部分と先端側部分の間に介在して両者の離反を規制するものであり、且つ、前記蓋姿勢時に前記延設部と商品の間に介在した状態で両者の離反を規制しないものであり、
前記延設部が前記蓋姿勢となって前記収容空間の上方を覆う流通用形態から、前記延設部が前記陳列姿勢となって前記収容空間の上方が外部に開放される陳列用形態に移行可能なものであり、前記第一側壁部の外側面には、前記流通用形態から前記陳列用形態に移行する際の手順に関する情報を表示する移行情報表示部が設けられており、前記陳列用形態では、前記移行情報表示部の側方外側に前記表示部が位置しており、側方側外側からみた平面視において前記移行情報表示部が前記表示部に隠れて視認できない状態となることを特徴とする消しゴム陳列用箱。
【請求項１８】
請求項１に記載の商品陳列用箱に対して商品となる消しゴムを収容してなる消しゴム入り陳列用箱であり、
前記消しゴムは消しゴム側表示部を有し、
前記表示部に表示される内容と、前記消しゴム側表示部に表示される内容には、それぞれ表示の向きがあり、且つ、平面視における表示の向きが揃えられていることを特徴とする消しゴム入り陳列用箱。
【考案の詳細な説明】
【技術分野】
【０００１】
本考案は、商品の陳列に使用する商品陳列箱に関する。また、消しゴムを陳列する際に使用する消しゴム陳列用箱、並びに、消しゴムを収容した消しゴム入り陳列用箱に関する。
【背景技術】
【０００２】
従来から、消しゴムやステープラーの芯等の文房具を店頭で販売する際、文房具を陳列用箱に収容した状態で商品棚に配している。このような陳列用箱として、特許文献１に開示された商品陳列装置（陳列用箱）が知られている。この商品陳列装置は、流通時に複数個の商品を内包する輸送用箱として使用可能であり、店頭での陳列時に商品を収容する箱として使用可能なものである。すなわち、輸送用箱と陳列用箱を兼ねる。
【０００３】
特許文献１に開示された商品陳列装置（陳列用箱）は、輸送用箱として使用する形態から、ミシン目に沿って上側の一部分を取り外すことで、陳列用箱として使用する形態となる。陳列用箱として使用する形態では、商品陳列装置は、上方が解放された箱状であり、四つの側壁部分を形成する正面板、背面板、第一側面板、第二側面板を有する。
また、これらのうち、背面板は、他の側壁部分よりも上方に長く延びており、商品を収容するための空間よりも上方に位置する突出片部を有している。
【先行技術文献】
【特許文献】
【０００４】
【特許文献１】特開２００８−２８５２２０号公報
【考案の概要】
【考案が解決しようとする課題】
【０００５】
ここで、図１２（ａ）で示されるように、従来の陳列用箱３００は、上記した特許文献１の商品陳列装置と同様に、商品の収容時に商品よりも上方に位置する突出片部３０１を有するものが一般的である。
すなわち、陳列用箱３００は、正面板３０２、背面板３０３、第一側面板３０４、第二側面板３０５を備えており、背面板３０３を縦長の形状として、突出片部３０１を形成している。
【０００６】
そして、陳列用箱３００では、突出片部３０１の前面に、商品名や商品の特徴、広告表記等を表示する表示部３０７を設ける場合がある。この表示部３０７は、突出片部３０１に所定の文字や図柄を印刷することで形成される。
【０００７】
ところで、文房具売り場等で消しゴムを陳列用箱３００に収容して商品棚に載置するとき、図１２（ｂ）で示されるように、シャープペンシル３２０やボールペン３２１等の筆記具と同じ商品棚の棚板３２３に置かれることが多い。
【０００８】
具体的に説明すると、シャープペンシル３２０やボールペン３２１等の筆記具は、袋詰めされた状態で、商品棚の上側に設けられた係止突起３２８に係止され、係止突起３２８から垂下された状態で陳列されることがある。この場合、筆記具の下方側に位置する棚板３２３に陳列用箱３００を載置すると、表示部３０７の前方にシャープペンシル３２０やボールペン３２１が位置してしまい、表示部３０７で表示した内容が見えない、又は、非常に見え難い状態となってしまう。
【０００９】
つまり、従来の陳列用箱３００には、文房具売り場のように、商品の形状や陳列の仕方が異なる多くの商品を狭い空間に配置するとき、表示部３０７の表示が見えなくなる（又は見え難くなる）という問題があった。このような問題が生じると、表示部３０７に販売促進のための広告や、客の目を引かせるための装飾を表示していても、これらが十分に機能を発揮できないという問題があった。
【００１０】
そこで、本考案は、他の商品と共に収容した商品を陳列しても表示部の内容を視認し易い商品陳列用箱を提供することを課題とする。また、同様に、表示部の内容を視認し易い消しゴム陳列用箱、並びに、消しゴム入り陳列用箱を提供することを課題とする。
【課題を解決するための手段】
【００１１】
上記した課題を解決するための請求項１に記載の考案は、複数の商品を収容可能であって上方が開放された収容空間を形成する箱本体部と、前記箱本体部から延設された延設部を有し、前記延設部は、面状に広がりを有する部分であって一主面に表示部が設けられ、前記延設部は、前記表示部が前記収容空間から離れる方向、又は、上方を向く陳列姿勢をとることが可能であることを特徴とする商品陳列用箱である。
【００１２】
本考案の商品陳列用箱では、箱本体部から延設された延設部が陳列姿勢をとることが可能であり、陳列姿勢では、表示部が収容空間から離れる方向、又は、上方を向いた状態となる。したがって、商品陳列用箱を配置する際に向かって手前側（客から見て手前側）に延設部を配置することで、例えば、上記したようにシャープペンシルやボールペンが上側に配置されていても、表示部の表示内容を視認し易くなる。
【００１３】
請求項２に記載の考案は、前記陳列姿勢では、前記表示部が前記収容空間の側方外側で上方を向き、且つ、前記表示部が水平面と平行となる、又は、前記収容空間から離れる方向で下り勾配となるように傾斜することを特徴とする請求項１に記載の商品陳列用箱である。
【００１４】
本考案の構成によれば、人が上方から商品陳列用箱をみても表示部の表示内容を視認できる。つまり、商品陳列用箱を客の目線よりも下方側に配置しても表示部の表示内容が目に留まるので、好ましい。
【００１５】
請求項３に記載の考案は、前記延設部は、前記収容空間の開放部分の少なくとも一部を覆う蓋姿勢とすることが可能であることを特徴とする請求項１又は２に記載の商品陳列用箱である。
【００１６】
かかる構成にでは、延設部を蓋姿勢とすることで商品を内包する箱としても使用できるので、好ましい。
【００１７】
前記延設部は、陳列時に商品を手に取る客からみて手前側となる位置に設けられていることが好ましい（請求項４）。
【００１８】
請求項５に記載の考案は、前記延設部は、前記収容空間の上方を覆うことが可能な蓋姿勢から前記陳列姿勢に移行することが可能であり、前記延設部は、前記蓋姿勢で上面となる部分の一部に前記表示部が設けられ、前記陳列姿勢では、前記延設部は、延び方向の中途部分で折り返され、前記蓋姿勢で下面となる部分同士が向き合う状態であり、且つ、延び方向の基端側部分と先端側部分とが重なる状態となることを特徴とする請求項２に記載の商品陳列用箱である。
【００１９】
かかる構成によると、陳列に使用する際に延設部を小さくまとまった状態とすることで、延設部が配置の邪魔にならず、基端側部分と先端側部分とが重なった状態となることで、延設部（表示部が設けられた部分）の強度を増すことができるので、好ましい。
【００２０】
請求項６に記載の考案は、前記箱本体部及び前記延設部とは別部材で構成された中敷き部材を有し、前記箱本体部は、前記収容空間の一部と隣接する第一側壁部と、前記第一側壁部と前記収容空間を介して対向する第二側壁部を有し、前記中敷き部材は、前記収容空間の底部分に載置されて平面的に広がりを有する中敷底部と、前記中敷底部から上方に延びる中敷立壁部とを備え、前記中敷底部が前記収容空間の底部分に敷かれ、前記中敷立壁部が前記第一側壁部の内側に隣り合う位置に配されており、前記延設部は、延設体本体部と、延び方向の先端側に位置する延設体フラップ部を有しており、前記蓋姿勢では、前記延設体フラップ部が前記第二側壁部の内側に隣り合う位置に配され、前記陳列姿勢では、前記延設体フラップ部が前記第一側壁部と前記中敷立壁部の間に形成された隙間に差し込まれることを特徴とする請求項５に記載の商品陳列用箱である。
【００２１】
かかる構成では、延設体フラップ部を第一側壁部と中敷立壁部の間に形成された隙間に差し込むことで、陳列姿勢としたときの延設部の姿勢を崩れ難くすることができる。
【００２２】
請求項７に記載の考案は、前記延設部は、係合片部を有しており、前記係合片部は、前記陳列姿勢において前記延設部の一部から分かれて延びる部分であり、延び方向の先端側に前記箱本体部と係合可能な係合片側係合部を備え、前記陳列姿勢では、前記係合片部が前記表示部の下側に位置し、前記箱本体部の側方外側に離れた位置から前記箱本体部に向かって延びており、前記係合片側係合部が前記箱本体部と係合することを特徴とする請求項２、５乃至６のいずれかに記載の商品陳列用箱である。
【００２３】
かかる構成では、係合片部によって延設部の上方への移動が規制されることで、陳列姿勢としたときの延設部の姿勢を崩れ難くすることができる。
【００２４】
請求項８に記載の考案は、前記係合片部は、前記延設部の一部を切り起こして形成される部分であることを特徴とする請求項７に記載の商品陳列用箱である。
【００２５】
かかる構成によると、係合片部を別途形成する必要がなく、簡単な構造で係合片部を設けることができるので、好ましい。
【００２６】
請求項９に記載の考案は、前記箱本体部は、前記収容空間の一部と隣接する第一側壁部を有し、前記第一側壁部にスリット溝部が設けられ、前記係合片側係合部を前記スリット溝部に挿入することで、前記係合片部と前記箱本体部が係合するものであり、前記係合片側係合部は、先端側から基端側に向かって幅が広くなっており、前記係合片側係合部の最大幅が、前記スリット溝部の切り込み長さよりも長いことを特徴とする請求項７又は８に記載の商品陳列用箱である。
【００２７】
かかる構成によると、係合片部とスリット溝部を係合させたとき、係合片部が抜け難いので好ましい。
【００２８】
請求項１０に記載の考案は、前記箱本体部及び前記延設部とは別部材で構成された中敷き部材を有し、前記中敷き部材は、前記収容空間の底部分に載置されて平面的に広がりを有する中敷底部を備え、前記箱本体部は、前記収容空間の一部と隣接する第一側壁部を有し、前記第一側壁部にスリット溝部が設けられ、前記係合片側係合部を前記スリット溝部に挿入することで、前記係合片部と前記箱本体部が係合するものであり、前記係合片部と前記箱本体部が係合した状態では、前記係合片側係合部の先端側部分が前記第一側壁部の内側であり、前記中敷き部材と前記収容空間の底部分の間に位置していることを特徴とする請求項７乃至９のいずれかに記載の商品陳列用箱である。
【００２９】
かかる構成によると、収容空間に商品が収容されている状態では、商品の重みによって中敷き部材と収容空間の底部分に挟まれた係合片側係合部の先端側部分が抜け難くなる。また、収容空間に商品が収容されている状態では、係合片側係合部の先端側部分が目立たず好ましい。
【００３０】
請求項１１に記載の考案は、前記係合片部の基端側部分は、前記陳列姿勢時に前記箱本体部に近づく方向で下り勾配となるように延びていることを特徴とする請求項７乃至１０のいずれかに記載の商品陳列用箱である。
【００３１】
かかる構成によると、陳列姿勢時に表示部が形成されている部分に上方から力が加わっても延設部の姿勢が崩れ難く、好ましい。
【００３２】
請求項１２に記載の考案は、前記延設部は、前記蓋姿勢で下面となる部分の一部に接着手段を有し、前記接着手段は、前記陳列姿勢時に前記延設部の基端側部分と先端側部分の間に介在して両者の離反を規制するものであり、且つ、前記蓋姿勢時に前記延設部と商品の間に介在した状態で両者の離反を規制しないものであることを特徴とする請求項５に記載の商品陳列用箱である。
【００３３】
かかる構成によると、接着手段によって延設部の姿勢をより確実に維持できる。また、蓋姿勢にしたとき、接着手段が蓋の開閉を妨げないので、好ましい。
【００３４】
請求項１３に記載の考案は、前記接着手段は、両面テープであり、両面に接着性を有する基材と、前記基材の片面に取り付けられた剥離紙を有しており、前記接着手段は、前記蓋姿勢で下面となる部分の一部に貼着されており、前記蓋姿勢では、前記基材に前記剥離紙を取り付けた状態とし、前記陳列姿勢では、前記基材から前記剥離紙を取り外した状態とすることを特徴とする請求項１２に記載の商品陳列用箱である。
【００３５】
かかる構成によると、接着手段を安価に設けることができるので、好ましい。
【００３６】
請求項１４に記載の考案は、前記延設部は、前記収容空間の上方を覆うことが可能な蓋姿勢から前記陳列姿勢に移行することが可能であり、前記延設部が前記蓋姿勢となって前記収容空間の上方を覆う流通用形態から、前記延設部が前記陳列姿勢となって前記収容空間の上方が外部に開放される陳列用形態に移行可能なものであり、前記延設体本体部は、前記収容空間の一部と隣接する第一側壁部を有し、前記第一側壁部の外側面には、前記流通用形態から前記陳列用形態に移行する際の手順に関する情報を表示する移行情報表示部が設けられており、前記陳列用形態では、前記移行情報表示部の側方外側に前記表示部が位置しており、側方側外側からみた平面視において前記移行情報表示部が前記表示部に隠れて視認できない状態となることを特徴とする請求項１乃至１３のいずれかに記載の商品陳列用箱である。
【００３７】
かかる構成によると、流通用形態から陳列用形態に移行する際には、作業者が移行情報表示部の内容を確認しながら作業できるので、移行作業がやり易い。また、陳列用形態では、移行情報表示部が見え難い位置に配されるので、外観の優れた商品陳列用箱となる。
【００３８】
請求項１５に記載の考案は、前記表示部は、文字、数字、記号、図形、グラフ、表、絵柄から選択される一以上により、前記収容空間に収容する商品に関する情報、及び／又は、前記収容空間に収容する商品を装飾する装飾表示が表示されることを特徴とする請求項１乃至１４のいずれかに記載の商品陳列用箱である。
【００３９】
上記表示部には、客の購買意欲を高めるための内容を表示することが好ましい。
【００４０】
請求項１６に記載の考案は、前記箱本体部及び前記延設部は、１枚のブランクシートを折り曲げて組み立てられ、前記箱本体部は、第一側壁部、第二側壁部、第三側壁部、第四側壁部を有し、前記第一側壁部と前記第二側壁部が前記収容空間を介して対向すると共に、前記第三側壁部と前記第四側壁部とが前記収容空間を介して対向しており、前記ブランクシートには、前記第一側壁部を形成する第一側壁形成部と、前記第二側壁部を形成する第二側壁形成部と、前記第三側壁部を形成する第三側壁形成部と、前記第四側壁部を形成する第四側壁形成部と、前記収容空間の底部分を形成する底形成部が設けられ、前記第二側壁形成部は、前記第二側壁部の外側部分と内側部分をそれぞれ形成する第二側壁外側形成部及び第二側壁内側形成部を有し、前記第三側壁形成部は、前記第三側壁部の外側部分と内側部分をそれぞれ形成する第三側壁外側形成部及び第三側壁内側形成部を有し、前記第四側壁形成部は、前記第四側壁部の外側部分と内側部分をそれぞれ形成する第四側壁外側形成部及び第四側壁内側形成部を有し、さらに前記ブランクシートには、前記第一側壁形成部に連設され、組み立て時に前記第一側壁形成部の側方両端に位置する２つの第一フラップ部と、前記第二側壁内側形成部に連設され、組み立て時に前記底形成部の上面と少なくとも一部が接する第二下側舌片部と、前記第三側壁形成部に連設され、組み立て時に前記第三側壁形成部の片側側方に位置する第三フラップ部と、前記第三側壁内側形成部に連設され、組み立て時に前記底形成部の上面と少なくとも一部が接する第三下側舌片部と、前記第四側壁形成部に連設され、組み立て時に前記第四側壁形成部の片側側方に位置する第四フラップ部と、前記第四側壁内側形成部に連設され、組み立て時に前記底形成部の上面と少なくとも一部が接する第四下側舌片部とが設けられ、前記箱本体部は、前記第一フラップ部の一方が前記第三側壁内側形成部と前記第三側壁外側形成部の間に配され、前記第一フラップ部の他方が前記第四側壁内側形成部と前記第四側壁外側形成部の間に配されると共に、前記第三フラップ部と前記第四フラップ部のそれぞれが前記第二側壁内側形成部と前記第二側壁外側形成部の間に配され、且つ、前記第三下側舌片部の一部と前記第四下側舌片部の一部とが前記第二下側舌片部の上側に重なった状態で組み立てられていることを特徴とする請求項１乃至１５のいずれかに記載の商品陳列用箱である。
【００４１】
かかる構成によると、安価に箱本体部及び延設部の製造が可能であり、且つ、組み立てた箱本体部が崩れにくい。すなわち、箱本体部の折り曲げ部分が元に戻ろうとすることで生じる箱本体部の崩れを防止できる。
【００４２】
請求項１７に記載の考案は、複数の消しゴムを収容可能であって上方が開放された収容空間を形成する箱本体部と、前記箱本体部から延設された延設部と、前記箱本体部及び前記延設部とは別部材で構成された中敷き部材とを有し、前記箱本体部は、前記収容空間の一部と隣接する第一側壁部と、前記第一側壁部と前記収容空間を介して対向する第二側壁部を有し、前記第一側壁部にスリット溝部が設けられ、前記延設部は、面状に広がりを有する部分であって、延設体本体部と、延び方向の先端側に位置する延設体フラップ部を有し、且つ、前記収容空間の上方を覆うことが可能な蓋姿勢から、陳列姿勢に移行することが可能であり、前記中敷き部材は、前記収容空間の底部分に載置されて平面的に広がりを有する中敷底部と、前記中敷底部から上方に延びる中敷立壁部とを備え、前記中敷底部が前記収容空間の底部分に敷かれ、前記中敷立壁部が前記第一側壁部の内側に隣り合う位置に配されており、前記延設部の一主面であり、前記蓋姿勢で上面となる部分の一部に表示部が設けられ、前記蓋姿勢では、前記延設体フラップ部が前記第二側壁部の内側に隣り合う位置に配され、前記陳列姿勢では、前記延設部が延び方向の中途部分で折り返され、前記蓋姿勢で下面となる部分同士が向き合う状態であり、且つ、延び方向の基端側部分と先端側部分とが重なる状態となり、さらに前記表示部が前記収容空間の側方外側で上方を向き、且つ、前記表示部が水平面と平行となる、又は、前記収容空間から離れる方向で下り勾配となるように傾斜するものであり、さらに前記延設体フラップ部が前記第一側壁部と前記中敷立壁部の間に形成された隙間に差し込まれるものであり、前記延設部は、係合片部を有しており、前記係合片部は、前記延設部の一部を切り起こして形成され、前記陳列姿勢において前記延設部の一部から分かれて延びる部分であり、延び方向の先端側に前記箱本体部と係合可能な係合片側係合部を備え、前記陳列姿勢では、前記係合片部が前記表示部の下側に位置し、前記係合片部の基端側部分が前記箱本体部に近づく方向で下り勾配となるように延びており、且つ、前記係合片側係合部が前記スリット溝部に挿入されて前記係合片部と前記箱本体部が係合しており、前記係合片部と前記箱本体部が係合した状態では、前記係合片側係合部の先端側部分が前記第一側壁部の内側であり、前記中敷き部材と前記収容空間の底部分の間に位置しており、前記延設部は、前記蓋姿勢で下面となる部分の一部に接着手段を有しており、前記接着手段は、前記陳列姿勢時に前記延設部の基端側部分と先端側部分の間に介在して両者の離反を規制するものであり、且つ、前記蓋姿勢時に前記延設部と商品の間に介在した状態で両者の離反を規制しないものであり、前記延設部が前記蓋姿勢となって前記収容空間の上方を覆う流通用形態から、前記延設部が前記陳列姿勢となって前記収容空間の上方が外部に開放される陳列用形態に移行可能なものであり、前記第一側壁部の外側面には、前記流通用形態から前記陳列用形態に移行する際の手順に関する情報を表示する移行情報表示部が設けられており、前記陳列用形態では、前記移行情報表示部の側方外側に前記表示部が位置しており、側方側外側からみた平面視において前記移行情報表示部が前記表示部に隠れて視認できない状態となることを特徴とする消しゴム陳列用箱である。
【００４３】
本考案の消しゴム陳列用箱においても、表示部の表示内容を視認し易く、特に消しゴム陳列用箱を客の目線よりも下方側に配置する際に視認し易い。また、陳列する際に、表示部が設けられた延設部の姿勢が崩れ難く、好ましい。
さらに、流通時に消しゴムを内包する箱としても使用可能であり、利便性が高い。また、移行情報表示部が設けられており、流通用形態から陳列用形態に移行する作業がやり易い。さらに、陳列用形態では、移行情報表示部が側方側外側からみた平面視において視認できない状態となり、陳列用形態における消しゴム陳列用箱の外観が優れたものになる。
【００４４】
請求項１８に記載の考案は、請求項１に記載の商品陳列用箱に対して商品となる消しゴムを収容してなる消しゴム入り陳列用箱であり、前記消しゴムは消しゴム側表示部を有し、前記表示部に表示される内容と、前記消しゴム側表示部に表示される内容には、それぞれ表示の向きがあり、且つ、平面視における表示の向きが揃えられていることを特徴とする消しゴム入り陳列用箱である。
【００４５】
かかる構成によると、消しゴム側表示部と表示部により、一体感のある美しい外観を形成できるので、好ましい。
【考案の効果】
【００４６】
本考案によれば、他の商品と共に収容した商品を陳列しても表示部の内容を視認し易い商品陳列用箱、消しゴム陳列用箱、並びに、消しゴム入り陳列用箱を提供できる。
【図面の簡単な説明】
【００４７】
【図１】本考案の実施形態に係る消しゴム陳列用箱を陳列用形態とした様子を示す斜視図である。
【図２】図１の消しゴム陳列用箱を別方向からみた状態を示す分解斜視図である。
【図３】図１の消しゴム陳列用箱を流通用形態とした様子を示す斜視図であり、一部を拡大して示す。
【図４】図１の消しゴム陳列用箱を流通用形態から陳列用形態に移行させる様子を示す説明図であり、（ａ）、（ｂ）の順に移行する。
【図５】図１の消しゴム陳列用箱の側面図である。
【図６】図１の消しゴム陳列用箱に消しゴムを収容して形成される消しゴム入り陳列用箱を示す斜視図である。
【図７】図６の消しゴム入り陳列用箱を商品棚に載置した様子を示す斜視図である。
【図８】図１の消しゴム陳列用箱の箱本体部及び延設部を形成するブランクシートを示す平面図である。
【図９】図１の箱本体部を組み立てる様子を示す説明図であり、（ａ）、（ｂ）は、２つの第一フラップ部のそれぞれを第三側壁部と第四側壁部の内部に配する様子を示す。
【図１０】図１の箱本体部を組み立てる様子を示す説明図であり、第三フラップ部と第四フラップ部とを第二側壁部と第四側壁部の内部に配する様子を示す。
【図１１】図１の箱本体部及び延設部を示す平面図である。
【図１２】（ａ）は従来の陳列用箱に消しゴムを収容している様子を示す斜視図であり、（ｂ）は、（ａ）の陳列用箱を商品棚に載置した様子を示す説明図である。
【考案を実施するための形態】
【００４８】
以下、本考案の実施形態に係る消しゴム陳列用箱１（商品陳列用箱）について図面を参照しつつ詳細に説明する。なお、前後方向については、特に説明のない限り、図１の姿勢を基準として説明する。すなわち、消しゴム陳列用箱１を図１の形態（陳列用形態であり、詳しくは後述する）としたとき、延設部３が位置する側（図１の手前側）を前側、その反対側（図１の奥側）を後側として説明する。
【００４９】
本考案の実施形態に係る消しゴム陳列用箱１（商品陳列用箱）は、図１で示されるように、箱本体部２と延設部３を有しており、これらに加えて、図１、図２で示されるように、中敷き部材４を有している。
【００５０】
箱本体部２は、図１、図２で示されるように、第一側壁部１０と、第二側壁部１１と、第三側壁部１２と、第四側壁部１３と、底壁部１４（図２参照）を有している。
第一側壁部１０乃至第四側壁部１３からなる四つの側壁部は、それぞれ立壁状の部分であり、底壁部１４の縁部分から上方に突出するように設けられ、四角環状に連続する。
【００５１】
四つの側壁部に囲繞された部分であって底壁部１４の上方には、収容空間１８が形成されている。収容空間１８は、上方が解放された空間である。
つまり、第一側壁部１０と第二側壁部１１が収容空間１８を介して対向しており、第三側壁部１２と第四側壁部１３が収容空間１８を介して対向している。そして、底壁部１４は、平板状の部分であって収容空間１８の底部分を形成している。
【００５２】
第一側壁部１０には、図３で示されるように、スリット溝部２０と、移行情報表示部２１が設けられている。
スリット溝部２０は、第一側壁部１０に切り込みを設けて形成された部分であり、第一側壁部１０の下側（下端と隣接する位置）に形成されている。すなわち、スリット溝部２０は、箱本体部２の内外を連通する。また、第一側壁部１０の長手方向に切り込み長さＬ１を有する。なお、第一側壁部１０の長手方向は、左右方向であり、第一側壁部１０の両側端の一方から他方に向かう方向であり、第三側壁部１２と第四側壁部１３の対向方向でもある。
【００５３】
移行情報表示部２１は、第一側壁部１０の外側面に所定内容を印刷して形成される部分である。詳細には、消しゴム陳列用箱１を流通用形態（図３参照）から陳列用形態（図１参照）に移行させる手順（詳しくは後述する）に関する情報を印刷している。
【００５４】
延設部３は、略全体が収容空間１８の側方外側に離れた位置に配される陳列姿勢（図１参照）をとることが可能である一方、略全体が収容空間１８の上方を覆う蓋姿勢（図３参照）をとることが可能な部分である。
【００５５】
延設部３は、図４（ａ）で示されるように、延設体本体部２５と、延設体フラップ部２６を有し、第一側壁部１０の上端から外部に向かって延びる平らな部分である。
【００５６】
延設体本体部２５は、第一側壁部１０側に位置する基端側部分２５ａと、基端側部分２５ａの延び方向における先端側と連続する先端側部分２５ｂを有する。基端側部分２５ａと先端側部分２５ｂは、いずれも面状に広がりを有する平らな部分であり、略長方形板状の部分である。したがって、延設体本体部２５は、２つの主面（蓋姿勢において上面となる部分と下面となる部分）を有する。
【００５７】
延設体本体部２５の外側面の一部であり、先端側部分２５ｂの外側面には、蓋姿勢において上面となる位置に表示部２８が設けられている。
表示部２８は、所定内容を印刷して形成される部分であり、具体的には、文字、数字、記号、図形、グラフ、表、絵柄又はその他の符号から選択される一以上（一つ又は複数の組み合わせ）を印刷して形成されている。
【００５８】
なお、表示部２８では、収容空間１８に収容する商品を紹介する内容や、広告や装飾等の購買意欲を向上させる内容を表示することが好ましい。
例えば、本実施形態では、図１、図４等で示されるように、収容空間１８に収容する消しゴム３０（商品）に関する情報として、消しゴム３０を紹介する内容である商品名「ＡＡＡ」を表示し、且つ、装飾としての図柄を表示している。
なお、図４等では、作図の都合上、一部の消しゴム３０にのみ符号を付し、他への符号を省略している。
【００５９】
例えば、この他、表示部２８に表示する消しゴム３０に関する情報として、「（強い筆圧でも）劇的に消せて（使用時に）折れない」といった機能（性能）に関する情報を表示してもよい。また、この際、「強い筆圧」を「ゴリラ筆圧」と称し、「ゴリラ筆圧におすすめ」といった具合に、機能を暗示したり強調したりする内容（キャッチコピー等）を表示してもよい。このとき、ゴリラを表す（ゴリラであることを特定可能な）写真又は絵を印刷する等、表示する文字と図柄を関連付けてもよい。すなわち、表示部２８で表示する図柄は、商品や商品の機能を暗示したり、商品の機能を強調したりするものでもよく、共に表示する文字と関連付けられていてもよい。
加えて、製造元や販売元となる所定の会社のロゴ等、消しゴム３０に関する企業の情報を表示してもよい。
【００６０】
延設体本体部２５では、図３、図４で示されるように、基端側部分２５ａに係合片部３５が設けられている。この係合片部３５は、図４で示されるように、基端側部分２５ａの一部を切り起こして形成される部分である。
【００６１】
つまり、図３で示されるように、係合片部３５の周縁部分のうち、最も延び方向（延設部３及び係合片部３５の延び方向）の基端側に位置する係合片連結部３７を除いた部分には、切り離し用のミシン目が形成されている。なお、係合片連結部３７は、蓋姿勢時に平面視したとき、係合片部３５の最も基端側に位置する一辺を形成する部分である。
【００６２】
つまり、係合片部３５は、延設部３を蓋姿勢としたとき、外側面及び内側面とが、周囲の部分（基端側部分２５ａの他の部分）の外側面及び内側面のそれぞれと同一面上に位置した状態となる。そして、切り起こした際に基端側部分２５ａに形成される孔の略全域（ミシン目による隙間を除いた全域）を塞いだ状態となる。
その一方で、延設部３を陳列姿勢（図１等参照）としたとき、図４で示されるように、基端側部分２５ａの一部から分かれて延びる部分となる。つまり、基端側部分２５ａの他の部分と連続し、基端側部分２５ａの他の部分とは違う方向に分かれて延びる部分となる。
【００６３】
具体的には、係合片部３５は、延び方向の基端側に位置する係合片基端側部３５ａと、先端側に位置する係合片側係合部３５ｂを有し、これらが一体となっている。
図３で示されるように、係合片基端側部３５ａは、蓋姿勢時に平面視した形状が略四角形状（略長方形状）となる平板状部分であり、係合片側係合部３５ｂは、蓋姿勢時に平面視した形状が略台形状となる平板状部分である。
係合片側係合部３５ｂは、蓋姿勢時に平面視した際の四つ角部分のそれぞれが丸みを帯びており、左右方向に延びている。ここで、左右方向は、係合片部３５の延び方向と直交する方向であり、係合片部３５の幅方向である。つまり、係合片側係合部３５ｂは、左右方向に幅を持ち、係合片部３５の延び方向で基端側に近づくにつれて（係合片基端側部３５ａに近づくにつれて）、幅方向長さが長くなる。係合片側係合部３５ｂの幅方向における最大長さＬ２は、スリット溝部２０の切り込み長さＬ１よりもやや長い長さ（２ｍｍ乃至４ｍｍ程度長い長さ）である。一方、係合片側係合部３５ｂの幅方向における最小長さＬ３は、スリット溝部２０の切り込み長さＬ１よりも短い。
【００６４】
さらに、図４（ｂ）で示されるように、延設体本体部２５の基端側部分２５ａには、接着部材４０が設けられている。
接着部材４０は、延設部３を蓋姿勢としたとき（図３参照）、下面となる位置に設けられている。本実施形態では、接着部材４０として両面テープを採用しており、基端側部分２５ａの一部に貼付けている。具体的には、基端側部分２５ａのうち、係合片部３５よりも第一側壁部１０に近接する位置（延設部３の延び方向で基端側となる位置）に貼付けている。
両面テープは、詳細な図示は省略するが、両主面に接着面が形成された基材と、基材の一主面に張り付けられた剥離紙を有する。すなわち、基材に剥離紙が取り付けられた状態では、片面のみが接着面となり、剥離紙を取り外した状態では、両面が接着面となる。
【００６５】
延設体フラップ部２６は、図４で示されるように、延設体本体部２５（先端側部分２５ｂ）の延び方向における先端側と連続する舌片状の部分である。詳細には、左右方向が長手方向となる平板状の部分であり、延設体本体部２５の延び方向における先端側の角部分が丸みを帯びた形状となっている。
【００６６】
中敷き部材４は、図２で示されるように、台紙を折り曲げて形成されており、平板状の中敷底部４ａと、中敷底部４ａの一端を上方に折り曲げて形成される中敷立壁部４ｂを有する。
本実施形態では、中敷き部材４を収容空間１８の内部に収容し、中敷底部４ａを底壁部１４の上に載置することで、中敷き部材４が底壁部１４の全体（略全体）を覆った状態となる。すなわち、中敷底部４ａの平面視における面積は、底壁部１４の平面視における面積と略同一となっている。
【００６７】
中敷立壁部４ｂは、第一側壁部１０の内側に隣接する位置に配され、第一側壁部１０の内側に添え当てられた状態で配される。すなわち、中敷立壁部４ｂは、第一側壁部１０の厚さ方向において、第一側壁部１０と重なった状態で配される。なお、中敷立壁部４ｂの左右方向長さは、第一側壁部１０の内側面の左右方向の長さと略同一の長さとなる。
【００６８】
続いて、本実施形態の消しゴム陳列用箱１の流通用形態（図３で示される状態）から陳列用形態（図１で示される状態）に移行させる際の手順について、詳細に説明する。
【００６９】
流通用形態では、図３で示されるように、延設部３を蓋姿勢とする。すなわち、延設体本体部２５を面状に広がる平板状の状態とする。具体的には、基端側部分２５ａの上面と先端側部分２５ｂの上面とが同一面上で広がり、基端側部分２５ａの下面と先端側部分２５ｂの下面とが同一面上で広がった状態とする。また、収容空間１８（図１参照）の開放部分の全域（略全域）が、延設部３によって上方から覆われた状態とする。
このとき、延設体フラップ部２６（図４参照）は、第二側壁部１１の内側に隣接する位置に配され、第二側壁部１１の内側に添え当てられた状態で配される。つまり、第二側壁部１１と、収容空間１８に収容された消しゴム３０の間に形成される隙間部分に延設体フラップ部２６が差し込まれた状態とする。
【００７０】
流通用形態から陳列用形態に移行する際には、延設部３を蓋姿勢から陳列姿勢へ移行する。すなわち、図４（ａ）、図４（ｂ）で示されるように、延設体本体部２５を基端側部分２５ａと先端側部分２５ｂの境界で折り曲げた状態とし、図１で示されるように、基端側部分２５ａと先端側部分２５ｂが重なる状態とする。すなわち、延設体本体部２５を中途部分で折り返し、延設体本体部２５を折り重ねた状態とする。この基端側部分２５ａと先端側部分２５ｂが重なった状態では、基端側部分２５ａと先端側部分２５ｂのうち、蓋姿勢において下面となる部分同士が向き合う状態となる。そして、基端側部分２５ａが先端側部分２５ｂの下方側に位置する。
【００７１】
このとき、図４で示されるように、基端側部分２５ａの一部を切り起こし、係合片部３５を形成する。そして、係合片部３５の係合片基端側部３５ａと係合片側係合部３５ｂの境界部分を折り曲げ、係合片側係合部３５ｂをスリット溝部２０に挿入する。
ここで、上記したように、係合片側係合部３５ｂの幅方向における最大長さＬ２は、スリット溝部２０の切り込み長さＬ１よりもやや長く、最小長さＬ３は、スリット溝部２０の切り込み長さＬ１よりも短い。スリット溝部２０に挿入する際には、先行して挿入される係合片部３５の先端を幅方向（左右方向）に一時的にずらす、幅方向の片側を他方側よりも先行させる等、係合片部３５を適宜姿勢変更しつつ差し入れる。そして、差し入れた状態では、挿入方向（第一側壁部１０の外側面に対して垂直となる方向）に抜け難くなる。すなわち、係合片側係合部３５ｂをスリット溝部２０に挿入することで、これらが係合した状態となる。
【００７２】
また、図２で示されるように、係合片側係合部３５ｂをスリット溝部２０に挿入すると、係合片側係合部３５ｂが収容空間１８内に配された状態となる。具体的には、中敷底部４ａと底壁部１４に上下から挟まれた状態となる。このことからも、収容空間１８に消しゴム３０を収容したとき（図４等参照）、消しゴム３０の重みで係合片側係合部３５ｂが抜け難くなる。
【００７３】
加えて、延設体フラップ部２６（図４参照）を、第一側壁部１０と中敷立壁部４ｂの間に差し入れる（図２、図４（ｂ）参照）。すなわち、中敷立壁部４ｂの上端側をやや傾けて第一側壁部１０から離す等し、中敷立壁部４ｂと第一側壁部１０の間に形成される隙間部分に延設体フラップ部２６を挿入する。
このことから、収容空間１８に消しゴム３０を敷き詰めた状態において（図４参照）、延設体フラップ部２６が抜け難く、陳列姿勢とした延設部３の姿勢が崩れ難い。
【００７４】
さらに、本実施形態では、延設体本体部２５を折り重ねた状態とするとき、接着部材４０（両面テープ、図４（ｂ）参照）の剥離紙を剥がし、基端側部分２５ａと先端側部分２５ｂを接着部材４０によって接着する。すなわち、蓋姿勢において下面となる部分同士が、間に介在する接着部材４０によって接着される。このことから、基端側部分２５ａと先端側部分２５ｂは、間に介在する接着部材４０によって離反が規制された状態となり、陳列姿勢とした延設部３の姿勢がさらに崩れ難くなる。
なお、接着部材４０は、延設部３が蓋姿勢の状態であるとき、剥離紙が取り付けられていることから、基端側部分２５ａと他の部材を接着しない。すなわち、延設部３が蓋姿勢であり（図３参照）、延設体本体部２５の下面が下方側の消しゴム３０（図４参照）と接触する状態であっても、延設部３が消しゴム３０から離反すること（蓋を開ける動作）を阻害しない。
【００７５】
以上のことから、消しゴム陳列用箱１の流通用形態から陳列用形態への移行が完了する。
陳列用形態では、図５で示されるように、延設体本体部２５の略全体が箱本体部２及び収容空間１８（図１参照）の側方外側に位置している。つまり、折りたたまれた延設体本体部２５は、第一側壁部１０の上側から側方外側へ延びた姿勢（状態）となり、詳細には、外側に向かうにつれて下方へ向かう方向に延びた姿勢となる。つまり、斜め下方に延びた姿勢である。
【００７６】
したがって、基端側部分２５ａ、先端側部分２５ｂのうち、箱本体部２側の端部は、第一側壁部１０の上方に位置する。そして、側方外側に離れた外側端部は、箱本体部２側の端部よりも下方に位置する。つまり、基端側部分２５ａ、先端側部分２５ｂは、全体として箱本体部２から離れるにつれて下方に向かうように傾斜しており、言い換えると、箱本体部２（収容空間１８）から離れる方向で下り勾配となるように傾斜している。したがって、表示部２８もまた、収容空間１８から離れる方向で下り勾配となるように傾斜する。そして、表示部２８が折り重ねられた延設体本体部２５の上側に位置し、上方を向いた状態となっている。
このような姿勢とすることで、図１で示されるように、消しゴム陳列用箱１を上方からみた平面視において表示部２８の表示内容を視認可能であり、且つ、前側（図１の延設部３が位置する側）からみた平面視でも視認可能となる。また、斜め上方からみた状態においても表示部２８の表示内容を視認可能となる。
【００７７】
また、陳列用形態では、図５で示されるように、係合片基端側部３５ａが折り重ねられた延設体本体部２５（基端側部分２５ａ）の下方に位置する。そして、係合片基端側部３５ａは、箱本体部２（収容空間１８）から離れた位置から第一側壁部１０に近づく方向で下り勾配となるように傾斜した姿勢となる。言い換えると、係合片基端側部３５ａは、箱本体部２側に位置する延び方向で先端側の端部が、箱本体部２から離れた位置にある延び方向で基端側の端部よりも低位置となる。
【００７８】
つまり、係合片部３５が表示部２８の下方に位置しており、係合片基端側部３５ａが、延設体本体部２５の基端側部分２５ａと、第一側壁部１０の下端近傍とを繋ぐように延びている。
このことから、図５で示されるように、側面視において、基端側部分２５ａの一部と、係合片基端側部３５ａと、第一側壁部１０の一部とが略三角環状に連続した状態となる。すなわち、係合片基端側部３５ａが折り重ねられた延設体本体部２５を下方から支えた状態となり、延設体本体部２５に上方から力が加わっても延設体本体部２５の姿勢が崩れにくい状態となる。また、上記したように、係合片側係合部３５ｂがスリット溝部２０に挿入されて、これらが係合した状態となっている（図４（ａ）、図２等参照）。このことから、折り重ねられた延設体本体部２５の上方側への移動が規制され、延設体本体部２５の姿勢が崩れにくい状態となる。
【００７９】
さらに、図５で示されるように、折り重ねられた延設体本体部２５が第一側壁部１０の側方外側に位置している。ここで、折り重ねられた延設体本体部２５の外側端部であり、下端部分は、第一側壁部１０の下端部分と同じ高さ、又は、第一側壁部１０の下端部分よりもやや高い位置にある。このことから、陳列用形態では、第一側壁部１０に設けられた移行情報表示部２１（図４（ａ）参照）が、延設体本体部２５側からみた平面視において視認できない状態となる。
すなわち、流通用形態から陳列用形態から移行する際には、移行情報表示部２１を確認しつつ作業が可能であり、陳列用形態に移行した際には、移行情報表示部２１が目立たない（視認し難い）位置に配される。このことから、陳列用形態における消しゴム陳列用箱１の外観を優れたものにできる。
【００８０】
ところで、本実施形態の消しゴム陳列用箱１は、図６で示されるように、収容空間１８（図１参照）に複数の消しゴム３０を敷き詰めて収容し、消しゴム入り陳列用箱として使用することを想定している。
ここで、消しゴム３０は、消しゴム本体３０ａに消しゴムケース３０ｂを取り付けて形成されており、消しゴムケース３０ｂの外側面に消しゴム側表示部４５が形成されている。
消しゴム側表示部４５は、上記した表示部２８と同様に、所定内容を印刷して形成される部分であり、本実施形態では、消しゴム３０に関する情報を表示している。
【００８１】
また、図６で示されるように、表示部２８の表示内容と、消しゴム側表示部４５の表示内容には、それぞれ表示の向きがある。
例えば、本実施形態における表示部２８、消しゴム側表示部４５の表示の向きは、表示された文字が上下逆となったり、傾いたりせず、文字の上下左右が平面視で正しく上下左右となる向き（文字の向きが正しい位置となる向き）を正となる向きとしている。
つまり、表示部２８の正となる向きは、平面視で表示した「山の図柄」の裾部分が下、頂上が上に位置する向きでもある。
【００８２】
本実施形態では、図６で示されるように、表示部２８の表示の向きと、複数の消しゴム側表示部４５のそれぞれの表示の向きとが揃えられている。すなわち、消しゴム入り陳列用箱を平面視し、表示部２８、消しゴム側表示部４５のいずれか一方を正となる向きとすると、他方も正となる向きとなるように、消しゴム陳列用箱１に複数の消しゴム３０を収容している。
このような構成とすると、表示部２８と消しゴム側表示部４５により、消しゴム入り陳列用箱として一体感のある美しい外観を形成できる。
【００８３】
本実施形態の消しゴム陳列用箱１は、上記したように、陳列用形態としたとき、延設部３の略全体が箱本体部２の側方外側に位置する。このため、図７で示されるように、消しゴム陳列用箱１を商品棚の棚板３２３に載置するとき、上方にシャープペンシル３２０やボールペン３２１が陳列されていても、表示部２８が見え難くなることがない。
つまり、本実施形態の消しゴム陳列用箱１は、陳列用形態とした状態の前側部分が、陳列時に商品を手に取る客から見て手前側となるものとしている。
【００８４】
また、陳列用形態とした本実施形態の消しゴム陳列用箱１は、図７で示されるように、棚板３２３の前端部（棚板３２３に向かって手前側に位置する端部）のさらに前方に、延設部３を位置させることができる。したがって、例えば、棚板３２３が客の足元にあり、上方から見たときに棚板３２３の上側に載置されたものが見えない状態であっても、棚板３２３よりもさらに手前側に位置する表示部２８の少なくとも一部を視認させることができる。
【００８５】
続いて、箱本体部２の組み立て構造について説明する。
本実施形態の箱本体部２及び延設部３は、ブランクシート５０（図８参照）を立体に折り曲げて形成されるものである。なお、ブランクシート５０は、紙などのシートを打ち抜いて得られたものであり、目的物（箱本体部２及び延設部３）を組み立てる前の状態のものである。
【００８６】
図８で示されるように、ブランクシート５０は、延設部形成部６０と、第一側壁形成部６１と、第二側壁形成部６２と、第三側壁形成部６３と、第四側壁形成部６４と、底形成部６５を有する。加えて、２つの第一フラップ部７０と、２つの第三フラップ部７１と、２つの第四フラップ部７２を有し、第二下側舌片部７５と、第三下側舌片部７６と、第四下側舌片部７７を有する。
【００８７】
延設部形成部６０は、上記した延設部３（図４（ａ）参照）を形成する部分である。
第一側壁形成部６１は、上記した第一側壁部１０（図１参照）を形成する部分である。
第二側壁形成部６２は、上記した第二側壁部１１（図１参照）を形成する部分であり、外側部分を形成する第二側壁外側形成部６２ａと、内側部分を形成する第二側壁内側形成部６２ｂを有する。
第三側壁形成部６３は、上記した第三側壁部１２（図１参照）を形成する部分であり、外側部分を形成する第三側壁外側形成部６３ａと、内側部分を形成する第三側壁内側形成部６３ｂを有する。
第四側壁形成部６４は、上記した第四側壁部１３（図１参照）を形成する部分であり、外側部分を形成する第四側壁外側形成部６４ａと、内側部分を形成する第四側壁内側形成部６４ｂを有する。
底形成部６５は、上記した底壁部１４（図２参照）を形成する部分であり、略四角形平板状の部分である。
【００８８】
第一側壁形成部６１は、長方形平板状の部分であり、長手方向が箱本体部２の組み立て時における左右方向となる部分である。
第二側壁形成部６２の第二側壁外側形成部６２ａ、第二側壁内側形成部６２ｂは、いずれも長方形平板状の部分であり、２枚が重なった状態で第二側壁部１１を形成する。また、第二側壁外側形成部６２ａ、第二側壁内側形成部６２ｂは、それぞれの長手方向が箱本体部２の組み立て時における左右方向となる。
第三側壁形成部６３の第三側壁外側形成部６３ａ、第三側壁内側形成部６３ｂは、いずれも長方形平板状の部分であり、２枚が重なった状態で第三側壁部１２を形成する。また、第三側壁外側形成部６３ａ、第三側壁内側形成部６３ｂは、それぞれの長手方向が箱本体部２の組み立て時における前後方向となる。
第四側壁形成部６４の第四側壁外側形成部６４ａ、第四側壁内側形成部６４ｂは、いずれも長方形平板状の部分であり、２枚が重なった状態で第四側壁部１３を形成する。また、第四側壁外側形成部６４ａ、第四側壁内側形成部６４ｂは、それぞれの長手方向が箱本体部２の組み立て時における前後方向となる。
【００８９】
第一フラップ部７０、第三フラップ部７１、第四フラップ部７２は、それぞれ舌片状の部分である。そして、２つの第一フラップ部７０がそれぞれ別のフラップを形成する部分であるのに対し、２つの第三フラップ部７１と、２つの第四フラップ部７２は、２つ重ねた状態で一つのフラップを形成する部分となっている。
【００９０】
第一フラップ部７０は、第一側壁形成部６１の長手方向における両端部のそれぞれと連続する部分である。
２つの第三フラップ部７１は、第三側壁外側形成部６３ａ、第三側壁内側形成部６３ｂそれぞれの長手方向における片側端部と連続する部分であり、いずれも第二側壁形成部６２側に位置する端部と連続している。
２つの第四フラップ部７２は、第四側壁外側形成部６４ａと、第四側壁内側形成部６４ｂそれぞれの長手方向における片側端部と連続する部分であり、いずれも第二側壁形成部６２側に位置する端部と連続している。
【００９１】
第二下側舌片部７５、第三下側舌片部７６、第四下側舌片部７７は、それぞれ台形板状の部分である。
ここで、底形成部６５の四つの縁端部分のそれぞれと、第一側壁形成部６１、第二側壁外側形成部６２ａ、第三側壁外側形成部６３ａ、第四側壁外側形成部６４ａが連続した状態となっている。
【００９２】
第一側壁形成部６１は、短手方向の片側端部が底形成部６５との境界に位置するように、底形成部６５と連続している。
第二側壁外側形成部６２ａは、短手方向の片側端部が底形成部６５との境界に位置し、他方側端部が第二側壁内側形成部６２ｂとの境界に位置している。そして、第二側壁内側形成部６２ｂもまた、短手方向の片側端部が第二側壁外側形成部６２ａとの境界に位置し、他方側端部が第二下側舌片部７５との境界に位置している。つまり、底形成部６５側から第二側壁外側形成部６２ａ、第二側壁内側形成部６２ｂ、第二下側舌片部７５の順に連続し、それぞれの短手方向における端部が他の部分との境界となっている。
【００９３】
第三側壁形成部６３、第三下側舌片部７６もまた、第二側壁形成部６２、第二下側舌片部７５と同様に、底形成部６５側から第三側壁外側形成部６３ａ、第三側壁内側形成部６３ｂ、第三下側舌片部７６の順に連続している。さらにまた、第四側壁形成部６４、第四下側舌片部７７も同様に、底形成部６５側から第四側壁外側形成部６４ａ、第四側壁内側形成部６４ｂ、第四下側舌片部７７の順に連続している。
【００９４】
箱本体部２を組み立てる際には、図９で示されるように、一方の第一フラップ部７０を、第三側壁外側形成部６３ａ、第三側壁内側形成部６３ｂの間に位置させる（図９（ａ）参照）。すなわち、第三側壁部１２（図１参照）の内部に位置させる。そして、他方の第一フラップ部７０を、第四側壁外側形成部６４ａ、第四側壁内側形成部６４ｂの間に位置させる（図９（ｂ）参照）。すなわち、第四側壁部１３（図１参照）の内部に位置させる。
【００９５】
続いて、図１０で示されるように、２つの第三フラップ部７１（図８参照）と、２つの第四フラップ部７２（図８参照）を重ねた状態で、第二側壁外側形成部６２ａ、第二側壁内側形成部６２ｂの間に位置させる。すなわち、第二側壁部１１（図１参照）の内部に、第三フラップ部７１と第四フラップ部７２位置させる。
【００９６】
その上で、図１１で示されるように、第二下側舌片部７５を底形成部６５の上側（図１１の手前側）に位置させ、第三下側舌片部７６、第四下側舌片部７７の一部を第二下側舌片部７５の上側に位置させ、第二下側舌片部７５と重なった状態とする。このように組み立てることで、ステープラー等で各部を固定しなくても、組み立てた箱本体部２を崩れにくい状態とすることができる。
【００９７】
上記した実施形態では、延設部３を陳列姿勢としたとき（消しゴム陳列用箱１を陳列用形態としたとき）、表示部２８を収容空間１８から離れる方向で下り勾配となるように傾斜する姿勢としたが、本考案はこれに限定されるものではない。
延設部を陳列姿勢としたときに、表示部が形成された面が水平面と平行となるように形成してもよい。
【００９８】
上記した実施形態の移行情報表示部２１と表示部２８は、それぞれ延設部３の一部と第一側壁部１０の一部に所定内容を印刷することで形成した。しかしながら、本考案はこれに限らず、所定内容を別途形成したシール部材に印刷し、シール部材を貼り付けて形成してもよい。
【００９９】
上記した実施形態では、消しゴム３０を消しゴム陳列用箱１に収容した例について説明したが、商品陳列用箱に収容する商品は、例えば、ステープラー芯の小箱であってもよい。すなわち、商品陳列用箱は、収容する商品を文房具とした文房具陳列用箱であってもよい。
【０１００】
上記した実施形態では、接着部材４０に両面テープを採用した例を示したが、本考案はこれに限定されるものではない。例えば、蓋姿勢とした状態における延設体本体部２５の基端側部分２５ａの下面と、先端側部分２５ｂ下面のそれぞれに、対となる面ファスナー部材を設けてもよい。
つまり、接着部材４０は、複数部材によって構成されてもよく、延設体の離れた位置にそれぞれ配してもよい。延設体を蓋姿勢としたときに、延設体に商品がくっつかず（延設体と商品の離反を規制せず）、延設体を折り曲げたときに延設体の一部同士をくっつけることが可能であればよい。
【符号の説明】
【０１０１】
１  消しゴム陳列用箱（商品陳列用箱）
２  箱本体部
３  延設部
４  中敷き部材
４ａ  中敷底部
４ｂ  中敷立壁部
１０  第一側壁部
１１  第二側壁部
１２  第三側壁部
１３  第四側壁部
１４  底壁部
１８  収容空間
２０  スリット溝部
２１  移行情報表示部
２５  延設体本体部
２６  延設体フラップ部
２８  表示部
３０  消しゴム（商品）
３５  係合片部
３５ｂ  係合片側係合部
４０  接着部材
４５  消しゴム側表示部
６１  第一側壁形成部
６２  第二側壁形成部
６２ａ  第二側壁外側形成部
６２ｂ  第二側壁内側形成部
６３  第三側壁形成部
６３ａ  第三側壁外側形成部
６３ｂ  第三側壁内側形成部
６４  第四側壁形成部
６４ａ  第三側壁外側形成部
６４ｂ  第三側壁内側形成部
６５  底形成部
７０  第一フラップ部
７１  第三フラップ部
７２  第四フラップ部
７５  第二下側舌片部
７６  第三下側舌片部
７７  第四下側舌片部
【図１】
0003225263.tif 000003
【図２】
0003225263.tif 000004
【図３】
0003225263.tif 000005
【図４】
0003225263.tif 000006
【図５】
0003225263.tif 000007
【図６】
0003225263.tif 000008
【図７】
0003225263.tif 000009
【図８】
0003225263.tif 000010
【図９】
0003225263.tif 000011
【図１０】
0003225263.tif 000012
【図１１】
0003225263.tif 000013
【図１２】
0003225263.tif 000014